(57)【要約】【課題】  応答要求受信装置の数を増加させることが容易な応答要求送信装置、及び探索システムを提供する。【解決手段】  予め設定されたＩＤ番号を含む無線信号を受信し、当該無線信号に含まれるコマンドに応じて報知手段により報知を行う受信応答装置２０１へ無線信号を送信する応答要求送信装置１０１であって、受信応答装置２０１のＩＤ番号の入力を受け付ける設定受付部１０３と、設定受付部１０３により受け付けられたＩＤ番号と当該ＩＤ番号で示される受信応答装置２０１が備える報知手段の動作を指示するコマンドとを含む通信フレーム１６１を生成する制御部１０６と、制御部１０６により生成された通信フレーム１６１を無線信号として送信する送信部１０８と、を備えた。【選択図】      図２
2006108850.tif 000002
【特許請求の範囲】
【請求項１】
予め設定されたＩＤ情報を含む無線信号を受信し、当該無線信号に含まれるコマンドに応じて報知手段により報知を行う受信応答装置へ前記無線信号を送信する応答要求送信装置であって、
前記受信応答装置のＩＤ情報の入力を受け付ける受付部と、
前記受付部により受け付けられたＩＤ情報と当該ＩＤ情報で示される受信応答装置が備える報知手段の動作を指示するコマンドとを含む通信フレームを生成する送信制御部と、
前記送信制御部により生成された通信フレームを無線信号として送信する送信部と、
を備えたことを特徴とする応答要求送信装置。
【請求項２】
前記受信応答装置のＩＤ情報と当該受信応答装置が備える報知手段の動作を指示するコマンドとの対応関係を予め記憶する第１の記憶部をさらに備え、
前記送信制御部は、前記第１の記憶部により記憶されている前記対応関係に基づいて、前記受付部により受け付けられたＩＤ情報と対応付けらえている前記コマンドを取得することを特徴とする請求項１記載の応答要求送信装置。
【請求項３】
前記受信応答装置は、複数種類の報知手段を備え、
前記コマンドは、前記複数種類の報知手段におけるそれぞれと前記コマンドの各ビット位置とを対応付けて構成され、前記各ビット位置におけるビットの状態によって当該各ビット位置に対応付けられた各報知手段に対する動作指示を表すものであることを特徴とする請求項１又は２記載の応答要求送信装置。
【請求項４】
前記通信フレームの少なくとも一部について算出されたＣＲＣ計算値と当該通信フレームに対応するＩＤ情報との対応関係を予め記憶する第２の記憶部をさらに備え、
前記送信制御部は、前記受付部により受け付けられたＩＤ情報と、前記第２の記憶部により記憶されている前記対応関係に基づいて当該ＩＤ情報と対応付けられているＣＲＣ計算値と前記コマンドとを含む通信フレームを生成することを特徴とする請求項１〜３のいずれかに記載の応答要求送信装置。
【請求項５】
携帯電話機が備える外部インターフェイス部に接続可能に構成された携帯電話インターフェイス部をさらに備え、
前記受付部は、前記携帯電話インターフェイス部と前記外部インターフェイス部とを介して前記携帯電話機が備えるヒューマンインターフェイス部により受け付けられた前記ＩＤ情報を受信することを特徴とする請求項１〜４のいずれかに記載の応答要求送信装置。
【請求項６】
予め設定されたＩＤ情報と前記報知手段への報知指示を示すコマンドとを含む無線信号を受信する受信部と前記受信部により受信された無線信号に含まれるコマンドに応じて報知を行う報知部とを備えた受信応答装置と、
請求項１〜５のいずれかに記載の応答要求送信装置と、
を備えることを特徴とする探索システム。
【発明の詳細な説明】
【技術分野】
【０００１】
本発明は、受信応答装置に対して無線信号により応答要求を送信する応答要求送信装置、およびこのような応答要求送信装置と応答要求送信装置からの応答要求を受信して報知動作を行う受信応答装置とを備えた探索システムに関する。
【背景技術】
【０００２】
従来、例えば、ホテルのクロークにおいてサービスマンが、顧客が預けた服に紙の番号札を付けて保管すると共に顧客に同じ番号を記載した番号札を渡しておき、顧客に服を返却する際にはサービスマンが、顧客の番号札を見て同じ番号札が付けられている服を保管中の服の中から探し出して返却する、といった作業が行われている。このような探索作業の効率を向上させるために、紙の番号札の代わりにＬＥＤ（Light Emitting Diode）やブザーなどの報知手段を備えた応答要求受信装置（いわゆる無線タグ）を探索対象物に付けて、送信機から無線信号を応答要求受信装置に送信して応答要求受信装置を発光させたりブザー音を発生させたりする報知動作を行うことにより、探索対象物の探索を容易にする探索システムが知られている（例えば、特許文献１参照。）。
【０００３】
この無線タグは、互いに異なる周波数の無線信号を受信した場合に共振する共振回路を備えて構成されており、送信機から送信する無線信号の周波数を変えることにより探索対象の応答要求受信装置において共振を生じさせてその応答要求受信装置に報知動作をさせるようになっている。
【特許文献１】特開２００４−１０１４８３号公報
【発明の開示】
【発明が解決しようとする課題】
【０００４】
ところで、上述の探索システムでは、無線信号の周波数に応じた共振回路の共振特性を利用して特定の応答要求受信装置を指定するので、個々の応答要求受信装置を識別するために同時に複数の応答要求受信装置で共振を生じさせないように、各応答要求受信装置における共振周波数をその間隔を空けて設定する必要がある。そのため、探索システムに用いられる無線信号の周波数範囲内で使用できる応答要求受信装置の数が制限され、応答要求受信装置の数を増加させることが困難であるという不都合があった。
【０００５】
本発明は、このような問題に鑑みて為された発明であり、応答要求受信装置の数を増加させることが容易な応答要求送信装置、及び探索システムを提供することを目的とする。
【課題を解決するための手段】
【０００６】
上述の目的を達成するために、本発明の第１の手段に係る応答要求送信装置は、予め設定されたＩＤ情報を含む無線信号を受信し、当該無線信号に含まれるコマンドに応じて報知手段により報知を行う受信応答装置へ前記無線信号を送信する応答要求送信装置であって、前記受信応答装置のＩＤ情報の入力を受け付ける受付部と、前記受付部により受け付けられたＩＤ情報と当該ＩＤ情報で示される受信応答装置が備える報知手段の動作を指示するコマンドとを含む通信フレームを生成する送信制御部と、前記送信制御部により生成された通信フレームを無線信号として送信する送信部と、を備えたことを特徴としている。
【０００７】
また、上述の応答要求送信装置において、前記受信応答装置のＩＤ情報と当該受信応答装置が備える報知手段の動作を指示するコマンドとの対応関係を予め記憶する第１の記憶部をさらに備え、前記送信制御部は、前記第１の記憶部により記憶されている前記対応関係に基づいて、前記受付部により受け付けられたＩＤ情報と対応付けらえている前記コマンドを取得することを特徴としている。
【０００８】
また、上述の応答要求送信装置において、前記受信応答装置は、複数種類の報知手段を備え、前記コマンドは、前記複数種類の報知手段におけるそれぞれと前記コマンドの各ビット位置とを対応付けて構成され、前記各ビット位置におけるビットの状態によって当該各ビット位置に対応付けられた各報知手段に対する動作指示を表すものであることを特徴としている。
【０００９】
そして、上述の応答要求送信装置において、前記通信フレームの少なくとも一部について算出されたＣＲＣ計算値と当該通信フレームに対応するＩＤ情報との対応関係を予め記憶する第２の記憶部をさらに備え、前記送信制御部は、前記受付部により受け付けられたＩＤ情報と、前記第２の記憶部により記憶されている前記対応関係に基づいて当該ＩＤ情報と対応付けられているＣＲＣ計算値と前記コマンドとを含む通信フレームを生成することを特徴としている。
【００１０】
さらに、上述の応答要求送信装置において、携帯電話機が備える外部インターフェイス部に接続可能に構成された携帯電話インターフェイス部をさらに備え、前記受付部は、前記携帯電話インターフェイス部と前記外部インターフェイス部とを介して前記携帯電話機が備えるヒューマンインターフェイス部により受け付けられた前記ＩＤ情報を受信することを特徴としている。
【００１１】
また、本発明の第３の手段に係る探索システムは、予め設定されたＩＤ情報と前記報知手段への報知指示を示すコマンドとを含む無線信号を受信する受信部と前記受信部により受信された無線信号に含まれるコマンドに応じて報知を行う報知部とを備えた受信応答装置と、上述の応答要求送信装置と、を備えることを特徴としている。
【発明の効果】
【００１２】
このような構成の応答要求送信装置及び探索システムは、応答要求送信装置によって、予め設定されたＩＤ情報を含む無線信号を受信して当該無線信号に含まれるコマンドに応じて報知手段により報知を行う受信応答装置へ、受付部により受け付けられたＩＤ情報と当該ＩＤ情報で示される受信応答装置が備える報知手段の動作を指示するコマンドとを含む通信フレームが無線信号として送信されるので、受信応答装置の数が探索システムに用いられる無線信号の周波数範囲によって制限されることがなく、応答要求受信装置の数を容易に増加させることができる。
【発明を実施するための最良の形態】
【００１３】
以下、本発明に係る実施形態を図面に基づいて説明する。なお、各図において同一の符号を付した構成は、同一の構成であることを示し、その説明を省略する。
【００１４】
（第１実施形態）
図１は、本発明の第１の実施形態に係る探索システムの構成の一例を示す説明図である。図１に示す探索システム１は、探索対象物に取り付けられる複数の受信応答装置２０１と、応答要求送信装置１０１とを備える。複数の受信応答装置２０１にはそれぞれ受信応答装置２０１を識別するためのＩＤ番号（ＩＤ情報）が付与されている。図２は、本発明の第１の実施形態に係る応答要求送信装置の構成の一例を示すブロック図である。
【００１５】
図２に示す応答要求送信装置１０１は、例えば液晶表示器を用いて構成された表示部１０２と、例えばカーソルキー１３１，１３２、選択キー１３３等を備えた設定受付部１０３と、例えば押しボタンスイッチから構成された送信ボタン１０４と、例えば不揮発性のメモリであるＲＯＭ（Read Only Memory）や書き換え可能なＥＥＰＲＯＭ（Electrically Erasable and Programmable Read Only Memory）等を用いて構成された記憶部１０５と、例えばステートマシンやマイクロコンピュータ等を用いて構成された送信制御部の一例である制御部１０６と、例えばステートマシンやマイクロコンピュータ等を用いて構成されたＣＲＣ計算部１０７と、制御部１０６から出力された送信信号を例えばＨＦ帯、ＶＨＦ帯、ＵＨＦ帯、マイクロ波及びミリ波帯等の無線信号に変換する送信部１０８と、送信部１０８からの無線信号を放射するアンテナ１０９と、応答要求送信装置１０１内の各部に動作用電源電圧を供給する例えば一次電池や二次電池等を用いて構成された電源部１１０とを備えている。送信部１０８は、例えば変調回路、周波数変換回路、ローカル信号発振回路、バンドパスフィルタ回路等を用いて構成される公知の送信回路である。
【００１６】
図３は、本発明の第１の実施形態に係る受信応答装置２０１の構成の一例を示すブロック図である。図３に示す受信応答装置２０１は、応答要求送信装置１０１のアンテナ１０９から放射された無線信号を受信するアンテナ２０２と、アンテナ２０２で受信された無線信号を復調してシフトレジスタ２０４とＣＲＣ計算部とに出力する受信部２０３と、受信部２０３からの受信信号をパラレル変換して記憶するシフトレジスタ２０４と、受信信号のＣＲＣ（Cyclic Redundancy Check）を計算するＣＲＣ計算部２０５と、例えば不揮発性のメモリであるＲＯＭを用いて構成され、当該受信応答装置２０１のＩＤ番号を予め記憶している記憶部２０６と、シフトレジスタ２０４によりパラレル変換されたＩＤ番号と記憶部２０６に記憶されているＩＤ番号とを比較するマッチング部２０７と、例えばステートマシンやマイクロコンピュータ等を用いて構成された制御部２０８と、例えばＬＥＤやブザー等を用いて構成された報知部２０９と、受信応答装置２０１内の各部に動作用電源電圧を供給する例えば電池を用いて構成された電源部２１０とを備えている。
【００１７】
受信部２０３は、例えばローノイズアンプ、周波数変換回路、ローカル信号発振回路、バンドパスフィルタ回路、中間周波数増幅回路、及び復調回路等を用いて構成される公知の受信回路である。報知部２０９は、受信応答装置２０１毎に、例えば複数種類の報知手段の一例であるＬＥＤとブザーとを１つずつ備えていたり、色の異なるＬＥＤを３つと音色の違うブザーを２つ備えていたりする等、受信応答装置２０１毎に報知部２０９が備える具体的な報知手段の構成は異なっていてもよい。
【００１８】
また、報知部２０９は、赤、青、緑の３色のＬＥＤを備え、各ＬＥＤの発光を組み合わせることにより７色を発光可能に構成されていてもよい。また、報知部２０９が備える報知手段は、発光器であるＬＥＤ、音発生器であるブザーの他、例えば振動を生じさせるバイブレータ等、他の報知手段であってもよい。あるいは、報知部２０９は、例えば、音声を合成する音声合成装置と、音声合成装置で音声合成するためのアラーム音、音楽、音声等の音データを例えばＲＯＭに予め記憶した音データ記憶部とを備えて構成されてもよい。
【００１９】
次に、図２に示す応答要求送信装置１０１の動作を説明する。図４は、記憶部１０５によって記憶されているテーブル情報１５１の一例を示す説明図である。図４に示すテーブル情報１５１は、探索システム１において用いられる複数の受信応答装置２０１をユーザが識別容易にするために付与されたタグ名称１５２と、各タグ名称１５２で識別される受信応答装置２０１のＩＤ番号１５３と、各受信応答装置２０１が備える報知部２０９に報知動作をさせるためのコマンド１５４とを含んでいる。テーブル情報１５１は、予め記憶部１０５に記憶されていてもよく、ユーザが設定受付部１０３を用いて入力することにより、記憶部１０５に記憶させるようにしてもよい。
【００２０】
まず、制御部１０６は、記憶部１０５に記憶されているタグ名称１５２を一覧形式で表示部１０２に表示させる。そして、例えばユーザがカーソルキー１３１，１３２を操作してカーソルを移動させ、表示部１０２に表示されたタグ名称１５２の一覧から探索したい受信応答装置２０１のタグ名称１５２、例えば「タグ１号」にカーソルをあわせて選択キー１３３を押下すると、設定受付部１０３によって、ユーザにより選択されたタグ名称１５２「タグ１号」を示す信号、すなわちＩＤ番号１５３と対応しているタグ名称１５２を示す信号が制御部１０６へ送信される。そして、制御部１０６によって、記憶部１０５から「タグ１号」と対応付けて記憶されているＩＤ番号１５３とコマンド１５４とが読み出される。
【００２１】
コマンド１５４は、例えば８ビットｂ０〜ｂ７のデータにされている。そして、コマンド１５４における各ビットｂ０〜ｂ７は、各受信応答装置２０１における報知部２０９と対応しており、例えばビットｂ０、ｂ１、ｂ２はそれぞれ報知部２０９の図略のＬＥＤ１，２，３に対応し、ビットｂ３、ｂ４、ｂ５、ｂ６、ｂ７はそれぞれ報知部２０９の図略のブザー１，２，３，４，５に対応するように設定されている。ＬＥＤ１，２，３は、例えば赤、緑、青等互いに色の異なる複数種類のＬＥＤとして設定されており、ブザー１，２，３，４，５は、例えば音の高さ（音の周波数）が異なる複数種類のブザーとして設定されている。
【００２２】
そして、例えば、「タグ１号」における報知部２０９が、例えばＬＥＤ１，３、及びブザー２を備えていた場合には、図５に示すように、「タグ１号」に対応するコマンド１５４は、ＬＥＤ１，３及びブザー２をオンさせるべくビットｂ０，ｂ２，ｂ４が「１」にされ、すなわちコマンド１５４は「０００１０１０１」（１６進数の「１５」）にされている。
【００２３】
次に、ＣＲＣ計算部１０７によって、記憶部１０５から読み出されたＩＤ番号１５３とコマンド１５４とについてＣＲＣが計算される。そして、制御部１０６によって、記憶部１０５から読み出されたＩＤ番号１５３及びコマンド１５４とＣＲＣ計算部１０７で算出されたＣＲＣ１７１とから、例えば図６に示す通信フレーム１６１が生成され、送信部１０８へ出力される。
【００２４】
図６に示す通信フレーム１６１は、例えば先頭に同期をとるため等のプリアンブル１６２、次に通信フレームの開始を示すＳＦＤ（Start Frame Delimiter）１６３が付加され、その後ろに例えば３２ビットのＩＤ番号１５３、例えば８ビットのコマンド１５４、例えば１６ビットのＣＲＣ１７１が連結されている。なお、ＩＤ番号１５３、コマンド１５４、及びＣＲＣ１７１のビット数は、受信応答装置２０１と同一にされていればよく、例えば３２ビット等、この例に限定されるものではない。
【００２５】
次に、送信部１０８によって、通信フレーム１６１が無線信号に変換され、アンテナ１０９から空間へ放出される。
【００２６】
次に、図３に示す受信応答装置２０１の動作について説明する。まず、応答要求送信装置１０１におけるアンテナ１０９から空間へ放出された無線信号が、受信応答装置２０１におけるアンテナ２０２により受信され、受信部２０３により無線信号が通信フレーム１６１に復調される。そして、復調された通信フレーム１６１が、１ビットずつシフトしながらシフトレジスタ２０４で記憶されると共にＣＲＣ計算部２０５でＣＲＣが計算される。
【００２７】
そして、シフトレジスタ２０４にＩＤ番号１５３が格納されると、マッチング部２０７によって、シフトレジスタ２０４に格納されたＩＤ番号１５３と記憶部２０６に記憶されている受信応答装置２０１のＩＤ番号とが比較され、その比較結果を示す信号が制御部２０８へ送信される。
【００２８】
次に、制御部２０８によって、マッチング部２０７からの信号が不一致を示す場合、受信した通信フレーム１６１は自分宛ではないので受信動作が中断される一方、マッチング部２０７からの信号が一致を示す場合、受信した通信フレーム１６１は自分宛であるので、受信動作が継続されてシフトレジスタ２０４にコマンド１５４が格納され、ＣＲＣ計算部２０５によって、データ誤りの有無が確認されその確認結果を示す信号が制御部２０８へ送信される。
【００２９】
次に、制御部２０８によって、ＣＲＣ計算部２０５からの信号が、データ誤りが有ることを示す場合受信動作が中断される。一方、ＣＲＣ計算部１０７からの信号が、データ誤りが無いことを示す場合、制御部２０８によって、シフトレジスタ２０４に記憶されているコマンド１５４に基づいて、報知部２０９による報知動作が実行される。例えば、シフトレジスタ２０４に記憶されているコマンド１５４が「０００１０１０１」であれば、ビットｂ０，ｂ２，ｂ４が「１」にされているので、ビットｂ０，ｂ２に対応するＬＥＤ１，３がオンされて紫色に発光すると共にビットｂ４に対応するブザー２が鳴動される。
【００３０】
これにより、複数の受信応答装置２０１は、ＩＤ番号によって識別されるので、受信応答装置２０１を無線タグとして用いることにより無線タグの数を増加させることが容易となる。例えば、ＩＤ番号が３２ビットであれば、探索システム１は、４，２９４，９６７，２９６個の受信応答装置２０１を無線タグとして使用することができ、無線タグの数を増加させることが容易となる。
【００３１】
また、背景技術に係る探索システムにおいて、例えばＬＥＤのような表示装置を備えた無線タグでは、探索対象物の保管場所において無線タグがユーザの死角に入ってしまうとその無線タグを探索することができず、ブザーを備えて音を発する無線タグではその位置を正確に把握することが困難である。そこで、無線タグに報知方法の異なる複数種類の報知部、例えばＬＥＤとブザーとを備え、ＬＥＤの発光とブザーの鳴動とによって報知動作を行うことが考えられるが、この場合、送信機はＬＥＤを点灯させるコマンドと、ブザーを鳴動させるコマンドとをそれぞれ送信する必要があるのでコマンドの送信回数が増加し、送信機及無線タグの消費電流が増加するという不都合がある。
【００３２】
一方、図１に示す探索システム１では、応答要求送信装置１０１は、１つのコマンド１５４を送信することによって受信応答装置２０１が備える複数種類の報知部に報知動作をさせることができるので、例えば受信応答装置２０１が複数種類の報知部としてＬＥＤ１，３及びブザー２を備える場合にＬＥＤ１を点灯させるコマンドと、ＬＥＤ３を点灯させるコマンドと、ブザー２を鳴動させるコマンドとをそれぞれ送信する、といったように複数回コマンドを送信する場合に比べて応答要求送信装置１０１の送信動作と受信応答装置２０１の受信動作とを減少させることができるので、応答要求送信装置１０１及び受信応答装置２０１の消費電力を低減させ、電池の寿命を延長させることができる。
【００３３】
さらに、応答要求送信装置１０１は、種類の異なる報知手段、例えば色の異なるＬＥＤや、音の異なるブザー等を備えた受信応答装置２０１に異なる種類の報知動作を行わせることができるので、ユーザーは、探索の目的とする受信応答装置２０１の報知動作を見分けて探索することが容易となる。
【００３４】
図７は、図１に示す探索システム１を靴の収納に適用したアプリケーション例を示す説明図である。例えば、靴を靴箱に収納する際に、靴に受信応答装置２０１を取り付けて靴箱に収納しておく。そして、ユーザが、靴を取り出す際に応答要求送信装置１０１に探索対象のＩＤ番号、例えば「１０００」を設定して送信ボタン１０４を押下すると、探索対象の靴に取り付けられた受信応答装置２０１が所定の色、例えば紫色に発光すると共に所定の音色のブザーが鳴動し、目的の靴を容易に見つけることができる。
【００３５】
図８は、図１に示す探索システム１を服の収納に適用したアプリケーション例を示す説明図である。例えば、服をハンガーに収納する際に、服に受信応答装置２０１を取り付けてハンガーに吊しておく。そして、ユーザが、服を取り出す際に応答要求送信装置１０１に探索対象のＩＤ番号、例えば「１０００」を設定して送信ボタン１０４を押下すると、探索対象の服に取り付けられた受信応答装置２０１が所定の色で発光すると共に所定の音色でブザーが鳴動し、目的の服を容易に見つけることができる。
【００３６】
なお、記憶部１０５は、例えば図９に示すテーブル情報１５１ａのように、予め算出されたＣＲＣ１７１をＩＤ番号１５３と対応させて記憶する構成としてもよい。この場合、制御部１０６は、記憶部１０５に記憶されているＩＤ番号１５３、コマンド１５４、及びＣＲＣ１７１を用いて通信フレーム１６１を生成することができるので、ＣＲＣ計算部１０７が不要となり、回路を簡素化することができる。
【００３７】
また、図１０に示すように、例えばディップスイッチやキースイッチ等からなるコマンド設定受付部１１２を備え、ユーザがコマンド設定受付部１１２を用いてコマンド１５４を設定可能に構成してもよい。これにより、探索目的の受信応答装置２０１が備える報知部２０９の複数の報知手段に、ユーザが設定した報知動作をさせることができる。
【００３８】
また、報知部２０９が、例えば、音声を合成する図略の音声合成装置と、音声合成装置で音声合成するための音データを記憶した図略の音データ記憶部とを備える場合、例えば図１１に示すように、コマンド１５４におけるビットｂ３〜ｂ７を音データ記憶部に記憶されている音データのアドレス１５５として用いてもよい。これにより、コマンド１５４における各ビットの状態をアドレスとして用いることができるので、コマンド１５４を用いて報知部２０９における複数の報知手段へ指示することができる動作の種類を増加させることができる。
【００３９】
また、例えば、図１２に示すように、例えばコマンド１５４が８ビットであれば、コマンド設定受付部１１２を用いて設定可能なコマンド１５４のビットパターン００００００００（Ｈｅｘ００、以下Ｈｅｘは１６進数を表す）〜１１１１１１１１（ＨｅｘＦＦ）の２５６種類のビットパターンと、各受信応答装置２０１のＩＤ番号１５３とについて予め算出したＣＲＣとをテーブル情報１５１ｂとして記憶部１０５に記憶しておく構成としてもよい。これにより、ユーザがコマンド設定受付部１１２を用いてコマンド１５４を設定する場合においても制御部１０６は、記憶部１０５に記憶されているＣＲＣを用いて通信フレーム１６１を生成することができるので、ＣＲＣ計算部１０７が不要となり、回路を簡素化することができる。
【００４０】
この場合、例えば図１２に示すように、テーブル情報１５１ｂについて、コマンド設定受付部１１２を用いて設定されたコマンド１５４のビットパターンが下位８ビットになる記憶部１０５のアドレスにそのコマンド１５４に対応するＣＲＣを記憶すれば、制御部１０６は、探索対象の受信応答装置２０１のＩＤ番号１５３についてコマンド設定受付部１１２を用いて設定されたコマンド１５４のビットパターンを下位８ビットとして記憶部１０５のアドレスを生成することにより、コマンド設定受付部１１２を用いて設定されたコマンド１５４に対応したＣＲＣを取得することができる。
【００４１】
（第２実施形態）
次に、本発明の第２の実施形態に係る探索システム及び応答要求送信装置について説明する。図１３は、本発明の第２の実施形態に係る探索システムの構成の一例を示す説明図である。図１３に示す探索システム２は、探索対象物に取り付けられる複数の受信応答装置２０１と、応答要求送信装置１０１ａと、外部インターフェイス部に応答要求送信装置１０１ａが取り付けられた携帯電話機３０１とを備える。複数の受信応答装置２０１にはそれぞれＩＤ番号が付与されている。図１４は、本発明の第２の実施形態に係る応答要求送信装置１０１ａの構成の一例を示すブロック図である。
【００４２】
図１４に示す応答要求送信装置１０１ａと図２に示す応答要求送信装置１０１とでは、下記の点で異なる。すなわち、図１４に示す応答要求送信装置１０１ａは、表示部１０２、設定受付部１０３、及び送信ボタン１０４を備えず、代わりに携帯電話インターフェイス部１１１を備える。
【００４３】
携帯電話インターフェイス部１１１は、制御部１０６によって入出力される信号を、携帯電話機３０１の外部インターフェイス部３０２により入出力される信号形式に変換し、制御部１０６と携帯電話機３０１との間でデータ送受信を可能にするインターフェイス回路である。具体的には、例えば制御部１０６の入出力信号をシリアル変換したり、信号レベルを変換したり、データバス幅を変換したり、タイミングを調整したりする等、外部インターフェイス部３０２により入出力可能な信号形式に変換するものであればよい。
【００４４】
携帯電話機３０１は、例えば液晶表示器３０３やキースイッチ３０４等のヒューマンインターフェイス部を備えている。そして、制御部１０６は、表示部１０２にタグ名称１５２やカーソルを表示させる代わりに携帯電話インターフェイス部１１１と外部インターフェイス部３０２とを介して携帯電話機３０１にタグ名称１５２やカーソル等を表示させるべく制御信号を出力する一方、設定受付部１０３から探索対象となる受信応答装置２０１のタグ名称１５２を示す信号を受信する代わりに携帯電話インターフェイス部１１１と外部インターフェイス部３０２とを介して携帯電話機３０１が備えるキースイッチ３０４から探索対象となる受信応答装置２０１のタグ名称１５２を示す信号を受信する。
【００４５】
その他の構成は図１に示す探索システム１及び図２に示す応答要求送信装置１０１と同様であるのでその説明を省略し、以下本実施形態の動作について説明する。
【００４６】
まず、ユーザは、例えば携帯電話事業者が提供する通信サービスを利用して、携帯電話機３０１に例えばＪａｖａアプレット（Ｊａｖａは登録商標）で作成された、タグ名称１５２やカーソル等の表示及びタグ名称１５２の受付を行う携帯電話制御用プログラムをダウンロードする。あるいは、携帯電話制御用プログラムは、応答要求送信装置１０１ａが備える記憶部１０５に記憶されており、携帯電話機３０１は、記憶部１０５に記憶されている携帯電話制御用プログラムを実行する構成であってもよい。
【００４７】
次に、携帯電話機３０１によって、携帯電話制御用プログラムが実行されることにより、記憶部１０５に記憶されているタグ名称１５２が一覧形式で液晶表示器３０３に表示される。そして、例えばユーザがキースイッチ３０４を操作してカーソルを移動させ、液晶表示器３０３に表示されたタグ名称１５２の一覧から探索したい受信応答装置２０１のタグ名称１５２、例えば「タグ１号」にカーソルをあわせてキースイッチ３０４を用いて選択操作を行うと、携帯電話機３０１によって、ユーザにより選択されたタグ名称１５２「タグ１号」を示す信号、すなわちＩＤ番号１５３と対応しているタグ名称１５２を示す信号が、外部インターフェイス部３０２を介して携帯電話インターフェイス部１１１へ送信される。
【００４８】
そして、携帯電話インターフェイス部１１１によって、キースイッチ３０４により受け付けられたタグ名称１５２を示す信号が、応答要求送信装置１０１ａにおける制御部１０６によって受信可能な信号形式に変換され、制御部１０６へ送信される。そして、制御部１０６によって、タグ名称１５２を示す信号に基づいて、記憶部１０５により当該タグ名称１５２と対応付けて記憶されているＩＤ番号１５３とコマンド１５４とが読み出される。以降の動作は図１に示す探索システム１と同様であるのでその説明を省略する。
【００４９】
これにより、図１４に示す応答要求送信装置１０１ａは、ユーザが所有している携帯電話機の液晶表示器３０３とキースイッチ３０４とを利用することにより、図２に示す応答要求送信装置１０１が備える表示部１０２と設定受付部１０３とを削除することができるので、コストを低減することができる。
【図面の簡単な説明】
【００５０】
【図１】本発明の第１の実施形態に係る探索システムの構成の一例を示す説明図である。
【図２】本発明の第１の実施形態に係る応答要求送信装置の構成の一例を示すブロック図である。
【図３】本発明の第１の実施形態に係る受信応答装置の構成の一例を示すブロック図である。
【図４】図２に示す記憶部によって記憶されているテーブル情報の一例を示す説明図である。
【図５】コマンドの一例を示す説明図である。
【図６】通信フレームの一例を示す説明図である。
【図７】図１に示す探索システムを靴箱に収納された靴の探索に適用した例を示す説明図である。
【図８】図１に示す探索システムをハンガーに吊された服の探索に適用した例を示す説明図である。
【図９】図２に示す記憶部によって記憶されているテーブル情報の他の一例を示す説明図である。
【図１０】図２に示す応答要求送信装置の変形例を示すブロック図である。
【図１１】コマンドの他の一例を示す説明図である。
【図１２】図２に示す記憶部によって記憶されているテーブル情報の他の一例を示す説明図である。
【図１３】本発明の第２の実施形態に係る探索システムの構成の一例を示す説明図である。
【図１４】図１３に示す応答要求送信装置の構成の一例を示すブロック図である。
【符号の説明】
【００５１】
１  探索システム
２  探索システム
１０１，１０１ａ  応答要求送信装置
１０２  表示部
１０３  設定受付部
１０４  送信ボタン
１０５  記憶部
１０６  制御部
１０７  ＣＲＣ計算部
１０８  送信部
１０９  アンテナ
１１１  携帯電話インターフェイス部
１１２  コマンド設定受付部
１５１，１５１ａ，１５１ｂ  テーブル情報
１５２  タグ名称
１５３  ＩＤ番号
１５４  コマンド
１６１  通信フレーム
２０１  受信応答装置
２０２  アンテナ
２０３  受信部
２０５  ＣＲＣ計算部
２０６  記憶部
２０８  制御部
２０９  報知部
３０１  携帯電話機
３０２  外部インターフェイス部
３０３  液晶表示器
３０４  キースイッチ
【図１】
2006108850.tif 000003
【図２】
2006108850.tif 000004
【図３】
2006108850.tif 000005
【図４】
2006108850.tif 000006
【図５】
2006108850.tif 000007
【図６】
2006108850.tif 000008
【図７】
2006108850.tif 000009
【図８】
2006108850.tif 000010
【図９】
2006108850.tif 000011
【図１０】
2006108850.tif 000012
【図１１】
2006108850.tif 000013
【図１２】
2006108850.tif 000014
【図１３】
2006108850.tif 000015
【図１４】
2006108850.tif 000016